(57)【要約】      （修正有）【課題】外装シートと内面シートとの間に吸収体が挟持されたパッドタイプの吸収性物品において、吸収性物品や吸収体がどのような形状になっているか、どの方向を向いているかが直観的にわかりやすい表示を外装シートに施し、使用者が吸収性物品のどちらの側を前または後にして装着すればよいかを迷ったり間違えたりしないようにする。【解決手段】外装シート３と内面シートと、この外装シートと内面シートとの間に挟持され、体液を吸収して保持する吸収体２を備えたパッドタイプの吸収性物品１であって、吸収性物品や吸収体の外形は縦長の形状であって、その長手方向と直角方向における吸収体の外形の横幅は変化し、外装シートには、吸収性物品や吸収体の外形の特徴を表す図形の縮小図形７が表示され、この縮小図形は、吸収性物品や吸収体の外形を表す図形と同一方向を向いている吸収性物品。【選択図】図１
2017124004.tif 000002
【特許請求の範囲】
【請求項１】
外装シートと内面シートと、この外装シートと内面シートとの間に挟持され、体液を吸収して保持する吸収体を備えたパッドタイプの吸収性物品であって、
前記吸収性物品の外形は縦長の形状であって、その長手方向と直角方向における前記吸収性物品の外形の横幅は変化し、
前記外装シートには、前記吸収性物品の外形の特徴を表す図形の縮小図形が表示され、この縮小図形は、前記吸収性物品の外形を表す図形と同一方向を向いている
ことを特徴とする吸収性物品。
【請求項２】
前記吸収性物品の外形は、長手方向に第１のふくらみ部、くびれ部及び第２のふくらみ部をこの順に有し、この第１のふくらみ部の横幅は、この第２のふくらみ部の横幅より小さいことを特徴とする請求項１に記載した吸収性物品。
【請求項３】
前記吸収性物品の外形は、長手方向に第１のふくらみ部、くびれ部及び第２のふくらみ部をこの順に有し、この第１のふくらみ部の面積は、この第２のふくらみ部の面積より小さいことを特徴とする請求項１に記載した吸収性物品。
【請求項４】
前記吸収体の外形は、長手方向と直角方向の横幅が広い広幅部と、この広幅部より横幅が狭い狭幅部とからなることを特徴とする請求項１に記載した吸収性物品。
【請求項５】
外装シートと内面シートと、この外装シートと内面シートとの間に挟持され、体液を吸収して保持する吸収体を備えたパッドタイプの吸収性物品であって、
前記吸収体の外形は縦長の形状であって、その長手方向と直角方向における前記吸収体の外形の横幅は変化し、
前記外装シートには、前記吸収体の外形の特徴を表す図形の縮小図形が表示され、この縮小図形は、前記吸収体の外形を表す図形と同一方向を向いている
ことを特徴とする吸収性物品。
【請求項６】
前記吸収体の外形は、長手方向に第１のふくらみ部、くびれ部及び第２のふくらみ部をこの順に有し、この第１のふくらみ部の横幅は、この第２のふくらみ部の横幅より小さいことを特徴とする請求項５に記載した吸収性物品。
【請求項７】
前記吸収体の外形は、長手方向に第１のふくらみ部、くびれ部及び第２のふくらみ部をこの順に有し、この第１のふくらみ部の面積は、この第２のふくらみ部の面積より小さいことを特徴とする請求項５に記載した吸収性物品。
【請求項８】
前記吸収体の外形は、長手方向と直角方向の横幅が広い広幅部と、この広幅部より横幅が狭い狭幅部とからなることを特徴とする請求項５に記載した吸収性物品。
【請求項９】
前記吸収性物品の外形及び／又は前記吸収体の外形は、長手方向の中心線に対称の形状であることを特徴とする請求項１乃至請求項８のいずれかに記載した吸収性物品。
【請求項１０】
前記外装シートには、前記縮小図形が前記吸収性物品の外形を表す図形及び／又は前記吸収体の外形を表す図形と同一方向を向いていることを表す矢印が表示されていることを特徴とする請求項１乃至請求項９のいずれかに記載した吸収性物品。
【請求項１１】
前記外装シートには、前記縮小図形の長手方向と直角方向の横幅の広狭を表す文字が表示されていることを特徴とする請求項１乃至請求項１０のいずれかに記載した吸収性物品。
【請求項１２】
前記縮小図形は、一又は二以上の色彩が施された帯状領域の中に、白抜き又はこの色彩とは異なる色彩で表示されていることを特徴とする請求項１乃至請求項１１のいずれかに記載した吸収性物品。
【発明の詳細な説明】
【技術分野】
【０００１】
本発明は、外装シートと内面シートとその間に挟持された吸収体を備え、パンツ型やテープ止め型の紙おむつ等のアウターと組み合わせて使用されるパッドタイプの吸収性物品に関するものである。
【背景技術】
【０００２】
紙おむつ等の吸収性物品は、使用者の年齢、性別、用途等に対応して種々の形態のものあるが、パッドタイプの吸収性物品（紙おむつ）は、パンツ型の吸収性物品と異なり、パンツ型やテープ止め型の紙おむつ、おむつカバー、布製下着等のアウターと共に使用される。すなわち、パッドタイプの吸収性物品は、使用者が装着したアウターの内側に挿入されて使用され、使用後は吸収性物品のみが廃棄され、簡易な吸収性物品として、特に成人向けの吸収性物品として広く使用されている。
このパッドタイプの吸収性物品は、外装シートと内面シートとその間に挟持された吸収体を備え、使用者の股部を覆うように腹部から背部にかけて装着され、吸収性物品や吸収体の外形は縦長の形状となっている。
そして、使用者の体液を吸収する吸収体は、使用者が排出する体液の漏れを防止する必要があり、また、吸収体部分が膨らんだ吸収性物品を使用者の腹部、股部及び臀部（背部）に密着させる必要もある。そのため、吸収性物品や吸収体の長手方向に直角方向の横幅は変化し、股部にあてがう部分の横幅は狭く、腹部や臀部にあてがう部分の横幅は広くなっているのが一般的である。
【０００３】
この場合、吸収性物品や吸収体において、腹部にあてがう部分の横幅と臀部にあてがう部分の横幅も異なっているが、吸収性物品や吸収体の横幅の広い部分を腹部にあてがうか臀部にあてがうかは、必ずしも一定しておらず、使用者によって異なっている。例えば、使用者が女性の場合は、吸収性物品や吸収体の横幅の広い部分を臀部にあてがうことが多く、使用者が男性の場合は、吸収性物品や吸収体の横幅の広い部分を腹部にあてがうことが多い。
一方、吸収性物品は一般的に折り畳んだ状態で包装されているため、吸収性物品や吸収体の長手方向のどちらの側の横幅が広いか、すなわち、吸収性物品の長手方向のどちらの側を前または後にして装着するのか、吸収性物品を広げてみないとわからず、また、吸収性物品を広げても、外観からはどちらの側の横幅が広いかわかりにくい。そのため、使用者が吸収性物品の前後を間違えて装着しないよう、その吸収性物品に前後を区別する前後表示を施すことも行われている。
例えば、特許文献１には、体液を吸収して保持する吸収要素を備えた、外側をカバーするカバー手段と組み合わせて使用される吸収性物品において、カバー手段の内面と接する外装シートに前後表記を直に印刷した前後表記付吸収性物品が開示されている。
そして、この特許文献１の前後表記付吸収性物品においては、男性と女性で前後が異なることから、「男性」、「女性」の文字と、「前」、「後」、「腹」、「尻」等の文字を組み合わせてそれに矢印マーク等の方向指示マークを付加した前後表記がなされている。
【０００４】
しかしながら、外装シートの同一箇所に、「前」と「後」の相反する２種類の文字や、異なる方向を示す２種類のマークが施されていると、吸収性物品のどちらの側が前または後ろなのか直観的にわかりづらく、使用者によっては、どちらの側の前にすればよいのか迷ったり、前側と後側を間違えて吸収性物品を装着するという問題が生ずる。
また、表記された文字が読めない外国人にとっては、特許文献１のような文字による前後表記は意味がない。
一方、使用者にとっては、吸収性物品や吸収体がどのような形状でどちらの側の横幅が広いのかを直観的に知ることができれば、前後を間違わずに吸収性物品を速やかに装着することができる。
【先行技術文献】
【特許文献】
【０００５】
【特許文献１】特開２００２−２９１７８６号公報
【発明の概要】
【発明が解決しようとする課題】
【０００６】
本発明が解決しようとする課題は、外装シートと内面シートとの間に吸収体が挟持されたパッドタイプの吸収性物品において、吸収性物品や吸収体がどのような形状になっているのか、どの方向を向いているかが直観的にわかりやすく、特に外国人や文字が読めない使用者でも理解できる表示を外装シートに施し、使用者が吸収性物品のどちらの側を前または後にして装着すればよいかを迷ったり間違えたりしないようにすることである。
【課題を解決するための手段】
【０００７】
本発明は、外装シートと内面シートと、この外装シートと内面シートとの間に挟持され、体液を吸収して保持する吸収体を備えたパッドタイプの吸収性物品であって、前記吸収性物品の外形は縦長の形状であって、その長手方向と直角方向における前記吸収性物品の外形の横幅は変化し、前記外装シートには、前記吸収性物品の外形の特徴を表す図形の縮小図形が表示され、この縮小図形は、前記吸収性物品の外形を表す図形と同一方向を向いている吸収性物品を提供して、上記課題を解決するものである。
【０００８】
本発明は、前記吸収性物品の外形は、長手方向に第１のふくらみ部、くびれ部及び第２のふくらみ部をこの順に有し、この第１のふくらみ部の横幅は、この第２のふくらみ部の横幅より小さい吸収性物品を提供して、上記課題を解決するものである。
【０００９】
本発明は、前記吸収性物品の外形は、長手方向に第１のふくらみ部、くびれ部及び第２のふくらみ部をこの順に有し、この第１のふくらみ部の面積は、この第２のふくらみ部の面積より小さい吸収性物品を提供して、上記課題を解決するものである。
【００１０】
本発明は、前記吸収性物品の外形は、長手方向と直角方向の横幅が広い広幅部と、この広幅部より横幅が狭い狭幅部とからなる吸収性物品を提供して、上記課題を解決するものである。
【００１１】
本発明は、外装シートと内面シートと、この外装シートと内面シートとの間に挟持され、体液を吸収して保持する吸収体を備えたパッドタイプの吸収性物品であって、前記吸収体の外形は縦長の形状であって、その長手方向と直角方向における前記吸収体の外形の横幅は変化し、前記外装シートには、前記吸収体の外形の特徴を表す図形の縮小図形が表示され、この縮小図形は、前記吸収体の外形を表す図形と同一方向を向いている吸収性物品を提供して、上記課題を解決するものである。
【００１２】
本発明は、前記吸収体の外形は、長手方向に第１のふくらみ部、くびれ部及び第２のふくらみ部をこの順に有し、この第１のふくらみ部の横幅は、この第２のふくらみ部の横幅より小さい吸収性物品を提供して、上記課題を解決するものである。
【００１３】
本発明は、前記吸収体の外形は、長手方向に第１のふくらみ部、くびれ部及び第２のふくらみ部をこの順に有し、この第１のふくらみ部の面積は、この第２のふくらみ部の面積より小さい吸収性物品を提供して、上記課題を解決するものである。
【００１４】
本発明は、前記吸収体の外形は、長手方向と直角方向の横幅が広い広幅部と、この広幅部より横幅が狭い狭幅部とからなる吸収性物品を提供して、上記課題を解決するものである。
【００１５】
本発明は、前記吸収性物品の外形及び／又は前記吸収体の外形は、長手方向の中心線に対称の形状である吸収性物品を提供して、上記課題を解決するものである。
【００１６】
本発明は、前記外装シートには、前記縮小図形が前記吸収性物品の外形を表す図形及び／又は前記吸収体の外形を表す図形と同一方向を向いていることを表す矢印が表示されている吸収性物品を提供して、上記課題を解決するものである。
【００１７】
本発明は、前記外装シートには、前記縮小図形の長手方向と直角方向の横幅の広狭を表す文字が表示されている吸収性物品を提供して、上記課題を解決するものである。
【００１８】
本発明は、前記縮小図形は、一又は二以上の色彩が施された帯状領域の中に、白抜き又はこの色彩とは異なる色彩で表示されている吸収性物品を提供して、上記課題を解決するものである。
【発明の効果】
【００１９】
本発明の吸収性物品は、外装シートと内面シートと、この外装シートと内面シートとの間に挟持され、体液を吸収して保持する吸収体を備えたパッドタイプの吸収性物品であって、前記吸収性物品の外形は縦長の形状であって、その長手方向と直角方向における前記吸収性物品の外形の横幅は変化し、前記外装シートには、前記吸収性物品の外形の特徴を表す図形の縮小図形が表示され、この縮小図形は、前記吸収性物品の外形を表す図形と同一方向を向いているため、使用者は、どのような形状の吸収性物品がどの方向を向いているかが直観的にわかり、特に外国人や文字が読めない使用者でも理解でき、吸収性物品のどちらの側を前または後にして装着すればよいか迷ったり間違えたりすることがなくなるという効果を奏する。
【００２０】
本発明の吸収性物品においては、前記吸収性物品の外形は、長手方向に第１のふくらみ部、くびれ部及び第２のふくらみ部をこの順に有し、この第１のふくらみ部の横幅は、この第２のふくらみ部の横幅より小さいため、吸収性物品の長手方向のどちらの側の横幅が広いかのか外観からはわかりにくい吸収性物品であっても、使用者は、どのような形状の吸収性物品がどの方向を向いているかが直観的にわかり、特に外国人や文字が読めない使用者でも理解でき、吸収性物品のどちらの側を前または後にして装着すればよいか迷ったり間違えたりすることがなくなるという効果を奏する。
【００２１】
本発明の吸収性物品においては、前記吸収性物品の外形は、長手方向に第１のふくらみ部、くびれ部及び第２のふくらみ部をこの順に有し、この第１のふくらみ部の面積は、この第２のふくらみ部の面積より小さいため、吸収性物品の長手方向のどちらの側の面積が広いかのか外観からはわかりにくい吸収性物品であっても、使用者は、どのような広さの吸収性物品がどの方向を向いているかが直観的にわかり、特に外国人や文字が読めない使用者でも理解でき、吸収性物品のどちらの側を前または後にして装着すればよいか迷ったり間違えたりすることがなくなるという効果を奏する。
【００２２】
本発明の吸収性物品においては、前記吸収性物品の外形は、長手方向と直角方向の横幅が広い広幅部と、この広幅部より横幅が狭い狭幅部とからなるため、吸収性物品の長手方向のどちらの側の横幅が広いかのか外観からはわかりにくい吸収性物品であっても、使用者は、どのような形状の吸収性物品がどの方向を向いているのかが直観的にわかり、特に外国人や文字が読めない使用者でも理解でき、吸収性物品のどちらの側を前または後にして装着すればよいか迷ったり間違えたりすることがなくなるという効果を奏する。
【００２３】
本発明の吸収性物品は、外装シートと内面シートと、この外装シートと内面シートとの間に挟持され、体液を吸収して保持する吸収体を備えたパッドタイプの吸収性物品であって、前記吸収体の外形は縦長の形状であって、その長手方向と直角方向における前記吸収体の外形の横幅は変化し、前記外装シートには、前記吸収体の外形の特徴を表す図形の縮小図形が表示され、この縮小図形は、前記吸収体の外形を表す図形と同一方向を向いているため、使用者は、どのような形状の吸収体がどのような方向で取り付けられているかが直観的にわかり、特に外国人や文字が読めない使用者でも理解でき、吸収性物品のどちらの側を前または後にして装着すればよいか迷ったり間違えたりすることがなくなるという効果を奏する。
【００２４】
本発明の吸収性物品においては、前記吸収体の外形は、長手方向に第１のふくらみ部、くびれ部及び第２のふくらみ部をこの順に有し、この第１のふくらみ部の横幅は、この第２のふくらみ部の横幅より小さいため、吸収体の長手方向のどちらの側の横幅が広いかのか外観からはわかりにくい吸収性物品であっても、使用者は、どのような形状の吸収体がどのような方向で取り付けられているかが直観的にわかり、特に外国人や文字が読めない使用者でも理解でき、吸収性物品のどちらの側を前または後にして装着すればよいか迷ったり間違えたりすることがなくなるという効果を奏する。
【００２５】
本発明の吸収性物品においては、前記吸収体の外形は、長手方向に第１のふくらみ部、くびれ部及び第２のふくらみ部をこの順に有し、この第１のふくらみ部の面積は、この第２のふくらみ部の面積より小さいため、吸収体の長手方向のどちらの側の面積が広いかのか外観からはわかりにくい吸収性物品であっても、使用者は、どのような広さの吸収体がどのような方向で取り付けられているかが直観的にわかり、特に外国人や文字が読めない使用者でも理解でき、吸収性物品のどちらの側を前または後にして装着すればよいか迷ったり間違えたりすることがなくなるという効果を奏する。
【００２６】
本発明の吸収性物品においては、前記吸収体の外形は、長手方向と直角方向の横幅が広い広幅部と、この広幅部より横幅が狭い狭幅部とからなるため、吸収体の長手方向のどちらの側の横幅が広いかのか外観からはわかりにくい吸収性物品であっても、使用者は、どのような形状の吸収体がどのような方向で取り付けられているかが直観的にわかり、特に外国人や文字が読めない使用者でも理解でき、吸収性物品のどちらの側を前または後にして装着すればよいか迷ったり間違えたりすることがなくなるという効果を奏する。
【００２７】
本発明の吸収性物品においては、前記吸収性物品の外形及び／又は前記吸収体の外形は、長手方向の中心線に対称の形状であるため、吸収性物品や吸収体が対称形であって長手方向のどちらの側の横幅が広いかのか外観からはわかりにくい吸収性物品であっても、使用者は、どのような形状の吸収体がどのような方向で取り付けられているかが直観的にわかり、特に外国人や文字が読めない使用者でも理解でき、吸収性物品のどちらの側を前または後にして装着すればよいか迷ったり間違えたりすることがなくなるという効果を奏する。
【００２８】
本発明の吸収性物品においては、前記外装シートには、前記縮小図形が前記吸収性物品の外形を表す図形及び／又は前記吸収体の外形を表す図形と同一方向を向いていることを表す矢印が表示されているため、さらに、使用者は、どのような形状の吸収性物品や吸収体がどの方向を向いているかがより確実にわかるようになるという効果を奏する。
【００２９】
本発明の吸収性物品においては、前記外装シートには、前記縮小図形の長手方向と直角方向の横幅の広狭を表す文字が表示されているため、さらに、使用者は、どのような形状の吸収性物品や吸収体がどの方向を向いているかがより確実にわかるようになるという効果を奏する。
【００３０】
本発明の吸収性物品においては、前記縮小図形は、一又は二以上の色彩が施された帯状領域の中に、白抜き又はこの色彩とは異なる色彩で表示されているため、さらに、前記縮小図形の表示を目立たせることができ、使用者は、どのような形状の吸収性物品や吸収体がどの方向を向いているかがより確実にわかるようになるという効果を奏する。
【図面の簡単な説明】
【００３１】
【図１】本発明の一実施形態である吸収性物品を拡げて平面的にした状態の正面図である。
【図２】図１の吸収性物品の背面図である。
【図３】図２のＸ−Ｘ断面図である。
【図４】図２のＹ−Ｙ断面図である。
【図５】起立部５ａ、６ａが起立して立体ギャザーを形成した状態におけるＸ−Ｘ断面図である。
【図６】吸収性物品１と吸収体２の外形を表した外形図である。
【図７】吸収性物品１と近似した外形をもつ吸収性物品の正面図である。
【図８】吸収性物品１０と吸収体１２の外形を表した外形図である。
【図９】吸収性物品１と吸収性物品１０とは異なる外形をもつ吸収性物品の正面図である。
【図１０】吸収性物品２０と吸収体２２の外形を表した外形図である。
【図１１】図１の吸収性物品１に表示した縮小図形とは異なる表現方法で縮小図形を表示した吸収性物品の正面図である。
【図１２】縮小図形７（１７）、２７、３７等に併せて表示される文字・矢印の例を表した説明図である。
【発明を実施するための形態】
【００３２】
［吸収性物品の全体構成］
図１は、本発明の一実施形態である吸収性物品を拡げて平面的にした状態の正面図、図２は、図１の吸収性物品の背面図、図３は、図２のＸ−Ｘ断面図、図４は、図２のＹ−Ｙ断面図である。
図中、１は吸収性物品、２は吸収体、３は外装シート、３ａはポリエチレンフィルム、３ｂは不織布、４は内面シート、５、６は立体ギャザーシート、５ａ、６ａは起立部、５ｂ、６ｂは先端縁、５ｃ、６ｃは折返し部、７は縮小図形、ＳＦ１はサイドフラップ、Ｄ１、Ｄ２は弾性部材である。
図に示すように本実施形態の吸収性物品１は、吸収体２と、これを背面側から覆う外装シート３と、吸収体４を正面側から覆う内面シート４と、内面シート４に重ねられる立体ギャザーシート５、６から構成される。
吸収体２は、高吸収性ポリマー粒子を含む綿状パルプを主体としてこれに吸収紙等（図示せず）を組み合わせたものからなり、使用者が排出した体液等を吸収して保持する。
外装シート３は、バックシートとも呼ばれ、不透液性のポリエチレンフィルム３ａと不織布３ｂを積層したものである。不織布３ｂは外観や肌ざわりを良くするために積層しているもので、ポリエチレンフィルム３ｂだけで外装シート３が構成されていてもよい。
また、本実施形態の吸収性物品を表す図には示していないが、通常、紙おむつに使用されるようなアウターや身体に吸収性物品を固定する手段として、粘着材、フック材などの係止手段を外装シート３に設けたり、ベルト状やタブ状の固定手段を外装シート３に設けてもよい。
内面シート４は、トップシートとも呼ばれ、不織布からなる。
この外装シート３と内面シート４は、吸収体２の周縁より外側で重なり合い、この重なり合う部分で互いに接着剤（図示せず）や熱融着により接着され、これにより、吸収体２が封入される。
そして、図１に示すように、外装シート３において、ポリエチレンフィルム３ａには、吸収性物品１や吸収体２の外形の特徴を表す図形の縮小図形７が印刷される。縮小図形７が印刷されたポリエチレンフィルム３ａは不織布３ｂに覆われているが、不織布３ｂは薄いため、外部から縮小図形７を視認することができる。
また、縮小図形７は、ポリエチレンフィルム３ａではなく不織布３ｂの外側の面あるいは内側の面に印刷してもよい。
さらに、縮小図形７の表示方法も印刷に限定されるものではなく、縮小図形７を印刷したラベル等をポリエチレンフィルム３ａあるいは不織布３ｂ等に貼り付けたり、異なる色のシートを縮小形状にくり抜いたり（例えば、ポリエチレンフィルム３ａと不織布３ｂを異なる色とし、不織布３ｂを縮小形状にくり抜く）してもよい。
【００３３】
立体ギャザーシート５、６は、不織布からなり、起立部５ａ、６ａを除いて外装シート３に接着剤（図示せず）で接着されている。起立部５ａ、６ａは、その先端部が折り返されて折返し部５ｂ、６ｂを形成し、この折返し部５ｂ、６ｂにゴム糸等の弾性部材Ｄ１、Ｄ２が挟まれ、折返し部５ｂ、６ｂの重なり合う面は接着剤（図示せず）や熱融着によって接着されている。
図５は、起立部５ａ、６ａが起立して立体ギャザーを形成した状態におけるＸ−Ｘ断面図である。
弾性部材Ｄ１、Ｄ２は、図２に示すように、吸収性物品１の長手方向に沿って配置され、伸長した状態で折返し部５ｂ、６ｂに接着固定されるため、弾性部材Ｄ１、Ｄ２が縮むことにより、吸収性物品１全体が、長手方向に外装シート３側が凸となるように湾曲し、これにより図５に示すように先端縁５ｂ、６ｂが内面シートから離れて起立部５ａ、６ａがハの字状に起立し、アーチ状の立体ギャザーを形成する。このようにして立体ギャザーを形成することにより、体液等の横漏れが防止される。
サイドフラップＳＦ１は、外装シート３と内面シート４を貼り合わせたフラップ状の部分であり、吸収体２の周縁より外側に形成されている。
なお、弾性部材Ｄ１、Ｄ２は、各1本ずつ配置されているが、複数本ずつ配置してもよく、また、立体ギャザーシート５、６は、上記と異なる構成であってもよく、さらに、立体ギャザーシート５、６を設けなくてもよい。
【００３４】
［吸収性物品と吸収体の外形］
図６は、吸収性物品１と吸収体２の外形を表した外形図であり、図において、１Ｆは吸収性物品１の外形、２Ｆは吸収体２の外形、１Ｆａ、２Ｆａは第１のふくらみ部、１Ｆｂ、２Ｆｂはくびれ部、１Ｆｃ、２Ｆｃは第２のふくらみ部、ＣＬ１は外形１Ｆ、２Ｆの長手方向の中心線、Ｗ１〜Ｗ３は外形１Ｆの中心線ＣＬ１と直角方向の横幅、ｗ１〜ｗ３は外形２Ｆの中心線ＣＬ１と直角方向の横幅である。
図６に示すように、吸収性物品１の外形１Ｆと吸収体２の外形２Ｆは近似し、外形１Ｆ、２Ｆは長手方向の中心線ＣＬ１に対称の縦長の形状であって、中心線ＣＬ１と直角方向における外形１Ｆ、２Ｆの横幅は変化している。
そして、外形１Ｆ、２Ｆは、長手方向に第１のふくらみ部１Ｆａ、２Ｆａ、くびれ部１Ｆｂ、２Ｆｂ及び第２のふくらみ部１Ｆｃ、２Ｆｃをこの順に有し、第１のふくらみ部１Ｆａ、２Ｆａの横幅Ｗ１、ｗ１は、くびれ部１Ｆｂ、２Ｆｂの横幅Ｗ２、ｗ２より大きく、第２のふくらみ部１Ｆｃ、２Ｆｃの横幅Ｗ３、ｗ３より小さくなっている。
このように吸収性物品１の外形１Ｆと吸収体２の外形２Ｆの横幅を変化させているのは、股部より幅も長さも大きい吸収性物品を、身体に沿った形状にすることで、吸収体や立体ギャザーを使用者の腹部、股部及び臀部（背部）に密着させ、使用者が排出する体液等の漏れを防止したり、吸収体の剛性による違和感を軽減するためである。
この場合、第１のふくらみ部を１Ｆａ、２Ｆａ使用者の腹部にあてがうか臀部にあてがうかは、必ずしも一定しておらず、使用者や用途によって異なっている。例えば、使用者が女性の場合は第１のふくらみ部１Ｆａ、２Ｆａを腹部にあてがうことが多く、使用者が男性の場合は、第１のふくらみ部１Ｆａ、２Ｆａを臀部にあてがうことが多い。また、ベッドに横になって使用する場合は、第２のふくらみ部１Ｆｃ、２Ｆｃを臀部の下に敷き込むようにする。
なお、本実施形態においては、吸収性物品や吸収体の外形は、長手方向の中心線に対称の形状となっているが、吸収性物品や吸収体の外形はこのような対称形に限定されるものではなく、吸収性物品や吸収体の左右の形状を異ならせて長手方向の中心線に非対称の形状としてもよい。
【００３５】
図７は、吸収性物品１と近似した外形をもつ吸収性物品の正面図であり、図において、１０は吸収性物品、１２は吸収体、１３は外装シート、１７は縮小図形、ＳＦ２はサイドフラップである。
図７に示すように、吸収体１２を備えた吸収性物品１０は、吸収性物品１に比べて、外形が異なるのみで、他の構成は吸収性物品１と同じである。
すなわち、吸収性物品１０においては、吸収性物品１の外装シート３と同じ層構成の外装シート１３に縮小図形７と同じ形状の縮小図形１７が表示されている。
また、吸収体１２の周縁より外側に形成されるサイドフラップＳＦ２は、吸収性物品１のサイドフラップＳＦ１と同じ層構成であり、サイドフラップＳＦ２の形状（外形）は、吸収体１２の外形と近似したものとなっている。
【００３６】
図８は、吸収性物品１０と吸収体１２の外形を表した外形図であり、図において、１０Ｆは吸収性物品１０の外形、１２Ｆは吸収体１２の外形、１０Ｆａ、１２Ｆａは第１のふくらみ部、１０Ｆｂ、１２Ｆｂはくびれ部、１０Ｆｃ、１２Ｆｃは第２のふくらみ部、ＣＬ２は外形１０Ｆ、１２Ｆの長手方向の中心線、Ｗ１１〜Ｗ１３は外形１０Ｆの中心線ＣＬ２と直角方向の横幅、ｗ１１〜ｗ１３は外形１２Ｆの中心線ＣＬ２と直角方向の横幅である。
図８に示すように、吸収性物品１０の外形１０Ｆと吸収体１２の外形１２Ｆは近似し、吸収性物品１や吸収体２の外形１Ｆ、２Ｆと同様に、外形１０Ｆ、１２Ｆは長手方向の中心線ＣＬ２に対称の縦長の形状であって、中心線ＣＬ２と直角方向における外形１０Ｆ、１２Ｆの横幅は変化しているが、横幅の変化の仕方が外形Ｆ１、Ｆ２と少し異なっている。
すなわち、外形１０Ｆ、１２Ｆは、外形１Ｆ、２Ｆと同様に、長手方向に第１のふくらみ部１０Ｆａ、１２Ｆａ、くびれ部１０Ｆｂ、１２Ｆｂ及び第２のふくらみ部１０Ｆｃ、１２Ｆｃをこの順に有しているが、第１のふくらみ部１０Ｆａ、１２Ｆａの横幅（最大横幅）Ｗ１１、ｗ１１は、第２のふくらみ部１０Ｆｃ、１２Ｆｃの横幅Ｗ３、ｗ１３とほぼ同じとなっている。そして、第１のふくらみ部１０Ｆａ、１２Ｆａの面積は、第２のふくらみ部１０Ｆｃ、１２Ｆｃの面積より小さくなっている。
この場合、狭い面積の第１のふくらみ部１０Ｆａ、１２Ｆａを使用者の腹部にあてがうか臀部にあてがうかは、吸収性物品１と同様に必ずしも一定しておらず、使用者によって異なっている。例えば、使用者が女性の場合は、第１のふくらみ部１０Ｆａ、１２Ｆａを腹部にあてがうことが多く、使用者が男性の場合は、第１のふくらみ部１０Ｆａ、１２Ｆａを臀部にあてがうことが多い。
【００３７】
図９は、吸収性物品１、１０と異なる外形をもつ吸収性物品の正面図であり、図において、２０は吸収性物品、２２は吸収体、２３は外装シート、２７は縮小図形、ＳＦ３はサイドフラップである。
図９に示すように、吸収体２２を備えた吸収性物品２０は、吸収性物品１、１０に比べて、外装シートに表示される縮小図形の形状と外形が異なるのみで、他の構成は吸収性物品１と同じである。
すなわち、吸収性物品２０においては、吸収性物品１の外装シート３と同じ層構成の外装シート２３に縮小図形２７が表示されている。
また、吸収体２２の周縁より外側に形成されるサイドフラップＳＦ３は、吸収性物品１のサイドフラップＳＦ１と同じ層構成であり、サイドフラップＳＦ３の形状（外形）は、吸収体２２の外形と近似したものとなっている。
【００３８】
図１０は、吸収性物品２０と吸収体２２の外形を表した外形図であり、図において、２０Ｆは吸収性物品２０の外形、２２Ｆは吸収体２２の外形、２０Ｆａ、２２Ｆａは狭幅部、２０Ｆｂ、２２Ｆｂは広幅部、ＣＬ３は外形２０Ｆ、２２Ｆの長手方向の中心線、Ｗ２１、Ｗ２２は外形２０Ｆの中心線ＣＬ３と直角方向の横幅、Ｗ２１、Ｗ２２は外形２２Ｆの中心線ＣＬ３と直角方向の横幅である。
図１０に示すように、吸収性物品２０の外形Ｆ２０と吸収体２２の外形Ｆ２２は、吸収性物品１、１０の外形１Ｆ、１０Ｆや吸収体２、１２の外形２Ｆ、１２Ｆと同様に、長手方向の中心線ＣＬ３に対称の縦長の形状であって、中心線ＣＬ３と直角方向における外形２０Ｆ、２２Ｆの横幅は変化しているが、横幅の変化の仕方が外形１Ｆ、１０Ｆや外形２Ｆ、１２Ｆと異なっている。
すなわち、外形２０Ｆ、２２Ｆは、狭幅部２０Ｆａ、２２Ｆａと広幅部２０Ｆｂ、２２Ｆｂとからなり、狭幅部２０Ｆａ、２２Ｆａの横幅Ｗ２１、ｗ２１は、広幅部２０Ｆｂ、２２Ｆｂの横幅Ｗ２２、ｗ２２より小さくなっている。
この場合狭幅部２０Ｆａ、２２Ｆａを使用者の腹部にあてがうか臀部にあてがうかは、吸収性物品１、１０と同様に必ずしも一定しておらず、使用者によって異なっている。例えば、使用者が女性の場合は、狭幅部２０Ｆａ、２２Ｆａを腹部にあてがうことが多く、使用者が男性の場合は、狭幅部２０Ｆａ、２２Ｆａを臀部にあてがうことが多い。
【００３９】
［縮小図形］
上記のように吸収性物品１、１０、２０の外装シート３、１３、２３には、縮小図形７、１７、２７が表示されるが、この縮小図形７、１７、２７は、吸収性物品１、１０、２０や吸収体２、１２、２２の外形の特徴を表す図形を縮小した図形となっている。
具体的には、吸収性物品１、１０の外形１Ｆ、１０Ｆの特徴は、大小２つのふくらみ部と両ふくらみ部の間にくびれ部があることであり、吸収体２、２０の外形２Ｆ、２０Ｆの特徴も同様であり、縮小図形７、１７は、この特徴を表す図形（大小２つのふくらみ部とその間にくびれ部がある図形）を縮小した図形となっている。
また、吸収性物品２０の外形２０Ｆの特徴は、狭幅部と広幅部からなることであり、吸収体２２の外形２２Ｆの特徴も同様であり、縮小図形２７は、この特徴を表す図形（狭幅部と広幅部からなる図形）を縮小した図形となっている。
そして、縮小図形７、１７、２７は、吸収性物品１、１０、２０の外形１Ｆ、１０Ｆ、２０Ｆ、を表す図形と同一方向を向くように表示され、また、縮小図形７、１７、２７は、吸収体２、１２、２２の外形２Ｆ、１２Ｆ、２２Ｆを表す図形と同一方向を向くようにも表示される。
すなわち、吸収性物品１、１０、２０においては、図１、図７、図９に示すように、外形１Ｆ、１０Ｆ（２Ｆ、１２Ｆ）の第１のふくらみ部１Ｆａ、１０Ｆａ（２Ｆａ、１２Ｆａ）、外形２０Ｆ（２２Ｆ）の狭幅部２０Ｆａ（２２Ｆａ）は上部に位置するため、縮小図形７、１７、２７の対応する部分も上部に位置するように表示される。
また、縮小図形７、１７、２７は、外装シート３、１３、２３を長手方向に間隔を空けて２つ以上表示され、吸収性物品１、１０、２０が長手方向と直角方向に２つ以上に折り畳まれたのち、さらに、長手方向に２つ以上に折り畳まれた状態であっても、縮小図形７、１７、２７が視認できるようにされる。
このようにして縮小図形７、１７、２７を外装シート３、１３、２３に表示することにより、使用者は、どのような形状の吸収体がどのような方向で取り付けられているかが直観的にわかり、吸収性物品１、１０、２０のどちらの側を前または後にして装着すればよいか迷ったり間違えたりすることがなくなる。
【００４０】
ところで、吸収性物品１、１０、２０においては、その外形１Ｆ、１０Ｆ、２０Ｆと吸収体２、１２、２２の外形２Ｆ、１２Ｆ、２２Ｆの横幅は共に変化し、かつ、これらの外形が近似しているため、外形１Ｆ、１０Ｆ、２０Ｆの特徴を表す図形と外形２Ｆ、１２Ｆ、２２Ｆの特徴を表す図形は同一となり、両者の縮小図形も同一となる。
しかしながら、吸収性物品によっては、吸収性物品の外形と吸収体の外形のいずれか一方の横幅しか変化しない場合、あるいは、吸収性物品の外形と吸収体の外形の横幅は共に変化するが、変化の仕方が大きく異なる場合があり、このような場合は、吸収性物品の外形の特徴を表す図形の縮小図形と、吸収体の外形の特徴を表す図形の縮小図形も異なることとなる。
例えば、吸収性物品の外形の横幅は、吸収性物品１、１０、２０の外形１Ｆ、１０Ｆ、２０Ｆのように変化するが、吸収体の横幅の変化が吸収性物品の横幅の変化と連動しておらず、その代りに吸収体の厚みが変化したり、吸収体にスリットや切欠き部などを設けることで面積が変化しているような場合である。
このような吸収性物品においては、吸収性物品の外形の特徴を表す図形の縮小図形が外装シートに表示される。
また、吸収体の外形の横幅は、吸収体２、１２、２２の外形２Ｆ、１２Ｆ、２２Ｆの横幅のように変化するが、吸収性物品の外形の横幅はほとんど変化しない場合もあるが、このような場合は、吸収体の外形の特徴を表す図形の縮小図形が外装シートに表示される。
【００４１】
［縮小図形の他の表現方法］
図１１は、図１の吸収性物品１に表示した縮小図形とは異なる表現方法で縮小図形を表示した吸収性物品の正面図であり、図において、３０は吸収性物品、Ｒ１は帯状領域、３７は縮小図形である。
図１１に示すように、吸収性物品３０は、吸収性物品１に比べて、外装シートに表示される縮小図形の表現方法が異なるのみで、他の構成は吸収性物品１と同じである。
すなわち、吸収性物品３０においては、吸収性物品１の外装シート３に帯状領域Ｒ１が表示されてその中に縮小図形３７が表示されている。
帯状領域Ｒ１は、外装シート３の長手方向に、その一端から他端に渡って一の色彩を施すことにより形成され、その中に白抜きにより縮小図形３７が表示されている。
また、帯状領域Ｒ１は、二以上の色彩を施すことにより形成してもよく、帯状領域Ｒ１の色彩とは異なる色彩で縮小図形３７を表示してもよい。
このように、外装シート３に帯状領域Ｒ１を施してその中に縮小図形３７を表示することにより、縮小図形３７の表示を目立たせることができる。
【００４２】
［縮小図形に併せて表示される文字・矢印］
図１２は、縮小図形７（１７）、２７、３７等に併せて表示される文字・矢印の例を表した説明図であり、図において、８、２８、３８、４８は「ひろい」の文字であり、９、２９、３９、４９は矢印、４７は縮小図形、Ｒ２は帯状領域である。
図１２（ａ）に示すように、図１の吸収性物品１、図７の吸収性物品１０の外装シート３、１３には、縮小図形７（１７）に併せて、縮小図形７が吸収性物品１（１０）や吸収体２（１２）の向きを表記していること、すなわち、縮小図形７が吸収性物品１（１０）の外形１Ｆ（１０Ｆ）を表す図形や吸収体の外形２Ｆ（１２Ｆ）を表す図形と同一方向を向いていることを表す矢印９が表示され、さらに、縮小図形７の長手方向と直角方向の横幅の広狭を表す文字の一例である「ひろい」の文字８が表示されている。
また、図１２（ｂ）に示すように、図９の吸収性物品２０の外装シート２２には、縮小図形２７に併せて、縮小図形２７が吸収性物品２０や吸収体２２の向きを表記していること、すなわち、縮小図形２７が吸収性物品２０の外形２０Ｆを表す図形や吸収体の外形２２Ｆを表す図形と同一方向を向いていることを表す矢印２９が表示され、さらに、縮小図形２７の長手方向と直角方向の横幅の広狭を表す文字の一例である「ひろい」の文字２８が表示されている。
また、図１２（ｃ）に示すように、図１１の吸収性物品３０の外装シート３の帯状領域Ｒ１には、縮小図形３７に併せて、縮小図形３７が吸収性物品３０や吸収体２の向きを表記していること、すなわち、縮小図形３７が吸収性物品３０の外形を表す図形や吸収体２の外形を表す図形と同一方向を向いていることを表す矢印３９が表示され、さらに、縮小図形３７の長手方向と直角方向の横幅の広狭を表す文字の一例である「ひろい」の文字３８が表示されている。この場合、帯状領域１０、文字１１ａ及び矢印１１ｂは、同じ色彩で表示されている。
さらに、吸収性物品２０の外装シート２２にあっては、図１２（ｂ）に示すような表示方法に代えて、図１２（ｄ）に示すように、外装シート２３に帯状領域Ｒ２を施し、その中に縮小図形４７、「ひろい」の文字４８、矢印４９を表示してもよい。
この場合、帯状領域Ｒ１、Ｒ２、文字３８、４８、矢印３９、４９は、同じ色彩で表示されている。
このように吸収性物品１（１０）、２０、３０の外装シート３（１３）、２３、において、縮小図形７（１７）、２７、３７、４７に併せて、横幅の広狭を表す文字８、２８、３８、４８と矢印９、２９、３９、４９を表示することにより、使用者は、どのような形状の吸収性物品や吸収体がどの方向向いているかがより確実にわかるようになる。
なお、上記矢印は、縮小図形が吸収性物品の外形を表す図形や吸収体の外形を表す図形と同一方向を向いていることに限定されず、例えば、吸収性物品の外形を表す図形や吸収体の外形を表す図形の横幅を表す方向を向いていてもよい。この場合、その横幅を表す方向の矢印は、吸収性物品や吸収体における外形の横幅の広い部分に「ひろい」の文字と共に表記することで、吸収性物品や吸収体における外形の横幅のどの部分が広いかをより直感的に認識することが可能となる。
【産業上の利用可能性】
【００４３】
本発明の吸収性物品は、外装シートと内面シートとの間に吸収体が挟持されたパッドタイプの吸収性物品において、吸収性物品や吸収体がどのような形状になっているのか、どの方向を向いているかが直観的にわかりやすい表示を外装シートに施し、使用者が吸収性物品のどちらの側を前または後にして装着すればよいかを迷ったり間違えたりすることがないものである。
【符号の説明】
【００４４】
１  吸収性物品
１Ｆ  吸収性物品１の外形
１Ｆａ  第１のふくらみ部
１Ｆｂ  くびれ部
１Ｆｃ  第２のふくらみ部
２  吸収体
２Ｆ  吸収体２の外形
２Ｆａ  第１のふくらみ部
２Ｆｂ  くびれ部
２Ｆｃ  第２のふくらみ部
３  外装シート
４  内面シート
５、６  立体ギャザーシート
７  縮小図形
８  文字
９  矢印
１０  吸収性物品
１０Ｆ  吸収性物品１０の外形
１０Ｆａ  第１のふくらみ部
１０Ｆｂ  くびれ部
１０Ｆｃ  第２のふくらみ部
１２  吸収体
１２Ｆ  吸収体１２の外形
１２Ｆａ  第１のふくらみ部
１２Ｆｂ  くびれ部
１２Ｆｃ  第２のふくらみ部
１３  外装シート
１７  縮小図形
２０  吸収性物品
２０Ｆ  吸収性物品２０の外形
２０Ｆａ  広幅部
２０Ｆｂ  狭幅部
２２  吸収体
２２Ｆ  吸収体２２の外形２２Ｆａ  広幅部
２２Ｆｂ  狭幅部
２３  外装シート
２７  縮小図形
２８  文字
２９  矢印
３０  吸収性物品
３７  縮小図形
３８  文字
３９  矢印
４７  縮小図形
４８  文字
４９  矢印
ＳＦ１、ＳＦ２、ＳＦ３  サイドフラップ
Ｄ１、Ｄ２  弾性部材
ＣＬ１  外形１Ｆ、２Ｆの長手方向の中心線
ＣＬ２  外形１０Ｆ、１２Ｆの長手方向の中心線
ＣＬ３  外形２０Ｆ、２２Ｆの長手方向の中心線
Ｒ１、Ｒ２  帯状領域
Ｗ１、Ｗ２、Ｗ３  中心線ＣＬ１と直角方向の吸収性物品１の横幅
ｗ１、ｗ２、ｗ３  中心線ＣＬ１と直角方向の吸収体２の横幅
Ｗ１１、Ｗ１２、Ｗ１３  中心線ＣＬ２と直角方向の吸収性物品１０の横幅
ｗ１１、ｗ１２、ｗ１３  中心線ＣＬ２と直角方向の吸収体１２の横幅
Ｗ２１、Ｗ２２  中心線ＣＬ３と直角方向の吸収性物品２０の横幅
ｗ２１、ｗ２２  中心線ＣＬ３と直角方向の吸収体２２の横幅
【図１】
2017124004.tif 000003
【図２】
2017124004.tif 000004
【図３】
2017124004.tif 000005
【図４】
2017124004.tif 000006
【図５】
2017124004.tif 000007
【図６】
2017124004.tif 000008
【図７】
2017124004.tif 000009
【図８】
2017124004.tif 000010
【図９】
2017124004.tif 000011
【図１０】
2017124004.tif 000012
【図１１】
2017124004.tif 000013
【図１２】
2017124004.tif 000014